(57)【要約】【課題】  包装用枠体にフランジ部を有するカップ状容器を簡単な操作で固定することができ、さらに、カップ状容器と附属物を一体に収納保持できる包装用枠体を提供する。【解決手段】  天板、両側板、底板で四角筒状に形成され前記四角筒状の内部に収納物を収納する包装用枠体であって、前記包装用枠体の天板および底板のいずれか一方の開放端両側延長上にそれぞれ折線を介して連設される折曲片を有するとともに、前記天板および底板のいずれか一方とそれぞれの折曲片との間の折線上に係止用切込を穿設してなり、前記天板および底板のいずれか一方の外面に載置当接されるフランジ付き容器のフランジが、前記包装用枠体の前記折曲片の折り曲げによりそれぞれ前記係止用切込に係止されることにより、前記フランジ付き容器を前記天板および底板のいずれか一方の外面に取り付けられることを特徴とする包装用枠体。【選択図】        図２
2011126573.tif 000002
【特許請求の範囲】
【請求項１】
天板、両側板、底板で四角筒状に形成され前記四角筒状の内部に収納物を収納する包装用枠体であって、前記包装用枠体の天板および底板のいずれか一方の開放端両側延長上にそれぞれ折線を介して連設される折曲片を有するとともに、前記天板および底板のいずれか一方とそれぞれの折曲片との間の折線上に係止用切込を穿設してなり、前記天板および底板のいずれか一方の外面に載置当接されるフランジ付き容器のフランジが、前記包装用枠体の前記折曲片の折り曲げによりそれぞれ前記係止用切込に係止されることにより、前記フランジ付き容器を前記天板および底板のいずれか一方の外面に取り付けられることを特徴とする包装用枠体。
【請求項２】
前記天板および底板のそれぞれの開放端両側延長上にそれぞれ折線を介して連設される折曲片を有するとともに、前記天板および底板のそれぞれの折曲片との間の折線上に係止用切込を穿設してなることを特徴とする請求項１記載の包装用枠体。
【請求項３】
天板、底板および貼着板で偏平筒状に形成され前記偏平筒状の内部に収納物を収納する包装用枠体であって、前記包装用枠体の天板および底板のいずれか一方の開放端両側延長上にそれぞれ折線を介して連設される折曲片を有するとともに、前記天板および底板のいずれか一方とそれぞれの折曲片との間の折線上に係止用切込を穿設してなり、前記天板および底板のいずれか一方の外面に載置当接されるフランジ付き容器のフランジが、前記包装用枠体の前記折曲片の折り曲げによりそれぞれ前記係止用切込に係止されることにより、前記フランジ付き容器を前記天板および底板のいずれか一方の外面に取り付けられることを特徴とする包装用枠体。
【請求項４】
前記天板および底板のそれぞれの開放端両側延長上にそれぞれ折線を介して連設される折曲片を有するとともに、前記天板および底板のそれぞれの折曲片との間の折線上に係止用切込を穿設してなることを特徴とする請求項３記載の包装用枠体。
【請求項５】
前記天板および／もしくは底板の外面に取り付けられる前記フランジ付き容器が複数個で、前記天板および底板の長さが前記フランジ付き容器のフランジの外径の複数個分の長さであることを特徴とする請求項１乃至４のいずれかに記載の包装用枠体。
【請求項６】
前記係止用切込が、それぞれ折曲片側に膨出するとともに中央部にそれぞれ延設された天板もしくは底板方向に僅かに突出する係止突起を備えた略弓の字状からなり、前記包装用枠体の前記折曲片の折り曲げにより、前記フランジ付き容器のフランジの裏面に前記係止突起が当接係止されることを特徴とする請求項１乃至５のいずれかに記載の包装用枠体。
【発明の詳細な説明】
【技術分野】
【０００１】
本発明は、フランジ部を有する容器を保持する包装用枠体に関するものである。
【背景技術】
【０００２】
物品の集合包装、特に飲料缶の集合包装については、一般的に２列に並んだ飲料缶を、板紙等を用いて横スリーブ状に巻き付けて包装する形式が用いられている。また、上端にフランジ部を有する容器を集合包装する形式として、上端のフランジ部分のみを支持して包装する形式が周知である。この包装形式は、天板と両側の垂下片とからなるホルダーを天板と両側垂下片との間にある折曲線により折り曲げ、切欠部に容器のフランジ部が係合することにより上端にフランジ部を有する容器をホルダーに保持されており、複数の容器を一列に配置した状態が広く利用されてきた。
【０００３】
また、容器上部のみを保持するホルダーとして、容器を二列に集積包装した集合包装が提案されている（例えば、特許文献１）。特許文献１には、「複数のフランジ付きカップ容器を２列に並んだ状態で連結するのに使用される板紙製のカップホルダーであって、矩形状の天面部分とその周囲４辺に折線を介してそれぞれ連設された折曲げ片とからなり、天面部分はカップ容器を２列状態で並べた場合にそのフランジが少しずつはみ出る大きさになっており、天面部分の前後方向中心線の左右に各カップ容器のフランジを差し込むための差込み用切込が前後方向に並んで設けられ、各折線のところには折曲げ片を下向きに折り曲げた時に当該折曲げ片がカップ容器にフランジにて係止されるような形状で折曲げ用切込が設けられていることを特徴とするカップホルダー。」が示されており、カップ容器を２列状態でまとめるに際し、差込み用切込にカップ容器のフランジを差し込んでから周囲４辺の折曲げ片を単に折り曲げるという簡単な工程でまとめることができ、まとめた後はロック状態となるばかりか、折曲げ片が補強の役目を果たして強度のあるものである。
【０００４】
しかしながら、上記特許文献１に記載された発明の「カップホルダー」では、フランジ付きカップ容器の保持に際して、差込みによる保持操作に時間を要するものであった。
【０００５】
また、容器上部のみを保持するホルダーとしては、他の提案もなされている（例えば、特許文献２）。特許文献２には、「外方に突出する唇状部を持つ上部部分をそれぞれ備えた互いに隣接する列状の物品を収容する搬送体において、パネル縦方向に延びる互いに平行に間隔を隔てた２条の内側折り線とこれ等の内側折り線に平行にこれ等の折り線から外方に間隔を隔てた２条の外側折り線とを持つ支持パネルを備え、この支持パネルにこのパネルに前記外側折り線に沿って連結した下方に延びる外側支持区分と前記パネルに前記内側折り線に沿って連結され相互に近づく向きに先狭まりになり中央折り線に沿い相互に連結した下方に延びる内側支持区分とを設け、前記の内側及び外側の各折り線を前記各物品の突出唇状部の一部が貫いて突出するみぞ穴により中断し、これ等のみぞ穴に前記物品唇状部の突出部分の下側に衝合することにより各物品を支えるようにした下面を設け、前記各外側支持区分に折り線に沿って連結した補強フラップを備え、これ等の各フラップを協働する外側支持区分の下側に折曲げ、前記各フラップに理説する物品に接触する部分を持つ連結されていない縁部を設けたクリップ形物品搬送体。」（特許請求の範囲１．）が示されている。
【０００６】
しかしながら、上記特許文献２に記載された発明の「クリップ形物品搬送体」では、例えば１列部分を把持した場合や指穴を持ち上げる時に物品の衝合部分で外れる方向に力が働いてしまい分解するという問題があり、これを防ぐには、図６に示されるように、補強帯状体５２を接着剤により頂部パネル１２にくさび形リブ区分１８にまたがるように接着されるなどの必要がある。上記接着のためには、補強帯状体とこれを接着する工程、接着剤などが必要となってしまうという欠点があった。
【先行技術文献】
【特許文献】
【０００７】
【特許文献１】特開平１０−４５１６２号公報
【０００８】
【特許文献２】特表平８−５０８９６２号公報
【発明の概要】
【発明が解決しようとする課題】
【０００９】
そこで本発明の課題は、包装用枠体にフランジ部を有するカップ状容器を簡単な操作で固定することができ、さらに、カップ状容器と附属物を一体に収納保持できる包装用枠体を提供することにある。
【課題を解決するための手段】
【００１０】
上記課題を解決するため、請求項１記載の発明は、天板、両側板、底板で四角筒状に形成され前記四角筒状の内部に収納物を収納する包装用枠体であって、前記包装用枠体の天板および底板のいずれか一方の開放端両側延長上にそれぞれ折線を介して連設される折曲片を有するとともに、前記天板および底板のいずれか一方とそれぞれの折曲片との間の折線上に係止用切込を穿設してなり、前記天板および底板のいずれか一方の外面に載置当接されるフランジ付き容器のフランジが、前記包装用枠体の前記折曲片の折り曲げによりそれぞれ前記係止用切込に係止されることにより、前記フランジ付き容器を前記天板および底板のいずれか一方の外面に取り付けられることを特徴とする包装用枠体である。このように構成することにより、容器のフランジ部を枠体の外面に当接固定できるので、容器の取り付けが簡単である。
【００１１】
請求項２の発明は、前記天板および底板のそれぞれの開放端両側延長上にそれぞれ折線を介して連設される折曲片を有するとともに、前記天板および底板のそれぞれの折曲片との間の折線上に係止用切込を穿設してなることを特徴とする請求項１記載の包装用枠体であって、フランジ付き容器に収納された収納物を使用する際必要な物品やおまけに類する物品を、フランジ付き容器に付属させ、且つ簡単に脱落しない構成とすることができる。
【００１２】
請求項３の発明は、天板、底板および貼着板で偏平筒状に形成され前記偏平筒状の内部に収納物を収納する包装用枠体であって、前記包装用枠体の天板および底板のいずれか一方の開放端両側延長上にそれぞれ折線を介して連設される折曲片を有するとともに、前記天板および底板のいずれか一方とそれぞれの折曲片との間の折線上に係止用切込を穿設してなり、前記天板および底板のいずれか一方の外面に載置当接されるフランジ付き容器のフランジが、前記包装用枠体の前記折曲片の折り曲げによりそれぞれ前記係止用切込に係止されることにより、前記フランジ付き容器を前記天板および底板のいずれか一方の外面に取り付けられることを特徴とする包装用枠体であって、上記の構成とすることにより、偏平筒状の内部には収納物が収納可能であって、且つ天板および底板のいずれか一方の外面にフランジ付き容器が当接係止できるので、容器の取り付けが簡単にできるとともに、付属物の収納も可能である。。
【００１３】
請求項４の発明は、前記天板および底板のそれぞれの開放端両側延長上にそれぞれ折線を介して連設される折曲片を有するとともに、前記天板および底板のそれぞれの折曲片との間の折線上に係止用切込を穿設してなることを特徴とする請求項３記載の包装用枠体であって、このように構成することにより、フランジ付き容器を上下二段に係止固定することができる。
【００１４】
請求項５の発明は、前記天板および／もしくは底板の外面に取り付けられる前記フランジ付き容器が複数個で、前記天板および底板の長さが前記フランジ付き容器のフランジの外径の複数個分の長さであることを特徴とする請求項１乃至４のいずれかに記載の包装用枠体で、このように構成することにより、複数個のフランジ付き容器を上下二段に係止固定することができ、販売時点での特色有る展示が可能である。
【００１５】
請求項６の発明は、前記係止用切込が、それぞれ折曲片側に膨出するとともに中央部にそれぞれ延設された天板もしくは底板方向に僅かに突出する係止突起を備えた略弓の字状からなり、前記包装用枠体の前記折曲片の折り曲げにより、前記フランジ付き容器のフランジの裏面に前記係止突起が当接係止されることを特徴とする請求項１乃至５のいずれかに記載の包装用枠体で、このように構成することにより、フランジの係止をより強固に行うことができるので、移送や輸送時の容器の脱落を抑止する。
【発明の効果】
【００１６】
本発明に係る包装用枠体は、枠体の内面だけでなく外面にもフランジ付き容器を簡単な操作で係止固定することができ、また、フランジ付き容器に充填された内容物に関連する付属物、例えば液体飲料や半固形食品に対する添加物等をフランジ付き容器と一体に係止固定することができるので、意匠性に優れるとともに使用性に優れた集合包装とすることが出来る。
【図面の簡単な説明】
【００１７】
【図１】本発明に係る包装用枠体の第一実施形態のブランクを示す展開平面図。
【図２】（ａ）同じく第一実施形態の組み立て固定状態を示す説明用斜視図。（ｂ）同じく第一実施形態の他の組み立て固定状態を示す説明用斜視図。
【図３】本発明に係る包装用枠体の第二実施形態のブランクを示す展開平面図。
【図４】（ａ）同じく第二実施形態の組み立て固定状態を示す説明用斜視図。（ｂ）同じく第二実施形態の他の組み立て固定状態を示す説明用斜視図。
【図５】本発明に係る包装用枠体の第三実施形態のブランクを示す展開平面図。
【図６】同じく第三実施形態の組み立て固定状態を示す説明用斜視図。
【図７】本発明に係る包装用枠体の第四実施形態のブランクを示す展開平面図。
【図８】同じく第四実施形態の組み立て固定状態を示す説明用斜視図。
【図９】本発明に係る包装用枠体の第五実施形態のブランクを示す展開平面図。
【図１０】同じく第五実施形態の組み立て固定状態を示す説明用斜視図。
【図１１】本発明に係る包装用枠体の第六実施形態のブランクを示す展開平面図。
【図１２】同じく第六実施形態の組み立て固定状態を示す説明用斜視図。
【図１３】（ａ）本発明に係る包装用枠体の天地方向三段の連結構成を示す説明用斜視図。（ｂ）図１３（ａ）のｚ−ｚ線説明用端面図。
【発明を実施するための形態】
【００１８】
本発明につき、図面等を用いて以下に詳述する。尚、図１は本発明に係る包装用枠体の第一実施形態のブランクを示す展開平面図。図２（ａ）は同じく第一実施形態の組み立て状態を示す説明用斜視図。図２（ｂ）は同じく第一実施形態の他の組み立て固定状態を示す説明用斜視図。図３は本発明に係る包装用枠体の第二実施形態のブランクを示す展開平面図。図４（ａ）は同じく第二実施形態の組み立て固定状態を示す説明用斜視図。図４（ｂ）は同じく第二実施形態の他の組み立て固定状態を示す説明用斜視図。図５は本発明に係る包装用枠体の第三実施形態のブランクを示す展開平面図。図６は同じく第三実施形態の組み立て固定状態を示す説明用斜視図。図７は本発明に係る包装用枠体の第四実施形態のブランクを示す展開平面図。図８は同じく第四実施形態の組み立て固定状態を示す説明用斜視図。図９は本発明に係る包装用枠体の第五実施形態のブランクを示す展開平面図。図１０は同じく第五実施形態の組み立て固定状態を示す説明用斜視図。図１１は本発明に係る包装用枠体の第六実施形態のブランクを示す展開平面図。図１２は同じく第六実施形態の組み立て固定状態を示す説明用斜視図。図１３（ａ）は本発明に係る包装用枠体の天地方向三段の連結構成を示す説明用斜視図。図１３（ｂ）は図１３（ａ）のｚ−ｚ線説明用端面図である。
【００１９】
本発明に係る包装用枠体の第一実施形態は、図１に示すように、板紙等のシート状物を打ち抜いて形成されるブランクＰ１からなり、折線Ｌ１、Ｌ２、Ｌ３、Ｌ４を介して連設される貼着板５、底板１、側板２、天板３、側板４からなる枠部と、底板１の上下両端にはそれぞれ折線Ｌ５、Ｌ６を介して折曲板６、７が延設され、折線Ｌ５、Ｌ６のそれぞれ略中央部にはそれぞれ折曲板６、７方向に膨出する係止用切込８、９が穿設された係止部とから構成されている。本実施形態において、係止用切込８、９はそれぞれの中央部に底板１方向に突出する係止突起１０、１１を備えた略弓の字状に形成されている。尚、係止突起１０、１１の中央には短い切込部１２、１３が刻設されている。
【００２０】
図２（ａ）、（ｂ）はそれぞれ第一実施形態の組み立て固定状態を示す説明用斜視図で、予め貼着板５と底板１の一側端とを糊着して形成された偏平な筒状の枠体を、折線Ｌ１、Ｌ２、Ｌ３、Ｌ４を用い、底板１、側板２、天板３、側板４を起立させて四角筒状の枠体Ｐ１’の収納領域を形成して図２（ａ）では枠体内に所定の付属物等（図示せず）を収納する状態を示し、図２（ｂ）は、枠体Ｐ１’内に収納物として底板の外面に係合固定するものと同じフランジ付き容器Ｑを収納した状態を示した。次に、底板１の外面にフランジ付き容器Ｑのフランジ部Ｒを当接し、底板１の両端に延設された折曲板６、７をそれぞれフランジ付き容器Ｑの胴部方向へ折り曲げ、フランジ部Ｒを折曲板６、７の係止用切込８、９にそれぞれ挿入するとともに、フランジ部Ｒの裏面にそれぞれ係止突起１０、１１の端部が当接係止することにより、底板１の外面にフランジ付き容器Ｑが係合固定される。前記折曲板６、７の折り曲げに際し、特に係止突起１０、１１が中央に刻設された切込部１２、１３によって拡開されることによりスムーズにフランジ部Ｒを乗り越え、且つフランジ部Ｒを乗り越えたときには、拡開した部分が元に復して、フランジ部Ｒの裏面にそれぞれ係止突起１０、１１の端部が当接係止するもので、後述する各実施形態においても同様である。尚、上記図２（ａ）に示す枠体内への収納物としては、フランジ付き容器に関連する各種付属物（例えば、キャップ等）や、自社のキャンペーン商品等を収納することができるが、それぞれのサイズにより側板の高さサイズは設計変更される。
【００２１】
図３は本発明に係る包装用枠体の第二実施形態のブランクを示す展開平面図で、シート状物を打ち抜いて形成されるブランクＰ２からなり、折線Ｌ２１、Ｌ２２、Ｌ２３、Ｌ２４を介して連設される貼着板２５、底板２１、側板２２、天板２３、側板２４からなる枠部と、底板２１の上下両端にはそれぞれ折線Ｌ２５、Ｌ２６を介して折曲板２６、２７が延設され、天板２３の上下両端にはそれぞれ折線Ｌ２７、Ｌ２８を介して折曲板２８、２９が延設され、折線Ｌ２５、Ｌ２６および、Ｌ２７、Ｌ２８のそれぞれ略中央部にはそれぞれ折曲板２６、２７および２８、２９の方向に膨出する係止用切込３０、３１および３２、３３が穿設された係止部とから構成されている。本実施形態において、係止用切込３０、３１および３２、３３はそれぞれの中央部に底板２１および天板２３方向に突出する係止突起３４、３５および３６、３７を備えた略弓の字状に形成されている。尚、それぞれの係止突起３４、３５および３６、３７の中央には短い切込部３８、３９および４０、４１が刻設されている。また、本実施形態において、両側板２２、２４のそれぞれ両側端辺はやや内向きに抉られた形状に形成されているが、特に限定されるものではなく、意匠上のカットラインである。
【００２２】
図４（ａ）は第二実施形態の組み立て固定状態を示す説明用斜視図で、予め貼着板２５と底板２１の一側端とを糊着して形成された偏平な筒状の枠体を、折線Ｌ２１、Ｌ２２、Ｌ２３、Ｌ２４を用いて底板２１、側板２２、天板２３、側板２４を起立させて四角筒状の枠体Ｐ２’の収納領域を形成して枠体内に所定の付属物等（図示せず）を収納する。次に、底板２１の外面にフランジ付き容器Ｑのフランジ部Ｒを当接し、底板２１の両端に延設された折曲板２６、２７をそれぞれフランジ付き容器Ｑの胴部方向へ折り曲げ、フランジ部Ｒを折曲板２６、２７の係止用切込３０、３１にそれぞれ挿入するとともに、フランジ部Ｒの裏面にそれぞれ係止突起３４、３５の端部を当接係止し、同じく、天板２３の外面にフランジ付き容器Ｑのフランジ部Ｒを当接し、天板２３の両端に延設された折曲板２８、２９をそれぞれフランジ付き容器Ｑの胴部方向へ折り曲げ、フランジ部Ｒを折曲板２８、２９の係止用切込３２、３３にそれぞれ挿入するとともに、フランジ部Ｒの裏面にそれぞれ係止突起３６、３７の端部を当接係止することにより、天板２３の外面にフランジ付き容器Ｑが係合固定される。尚、前記係止突起３４、３５、及び３６、３７のそれぞれ中央部に刻設した短い切込部３８、３９、及び４０、４１の動作については、前述の通りであるので説明は省略する。上記のように、付属物等を収納した枠体の上下にフランジ付き容器を当接係止するので、展示効果に優れた販売形態とすることができる。
【００２３】
図４（ｂ）は第二実施形態の組立状態において他の固定状態を示す説明用斜視図で、四角筒状に形成した枠体Ｐ２’内に収納物として外面に係合固定するものと同一のフランジ付き容器Ｑを収納するとともに、天板２３の内面にフランジ付き容器Ｑのフランジ部Ｒを当接し、天板２３の両端に延設された折曲板２８、２９をそれぞれフランジ付き容器Ｑの胴部方向へ折り曲げ、フランジ部Ｒを折曲板２８、２９の係止用切込３２、３３にそれぞれ挿入するとともに、フランジ部Ｒの裏面にそれぞれ係止突起３６、３７の端部が当接係止することにより、天板２３の内面にフランジ付き容器Ｑが係合固定されるものであり、簡単な操作で、フランジ付き容器を段積み状態に連結保持することができる。尚、底板２１の外面にフランジ付き容器Ｑが係合固定されるのは前項記載のとおりであるので、説明は省略する。
【００２４】
図５は本発明に係る包装用枠体の第三実施形態で、ブランクＰ３は、折線Ｌ５１、Ｌ５２を介して連設される貼着板５３、底板５１、天板５２からなる枠部と、底板５１の上下両端にそれぞれ折線Ｌ５３、Ｌ５４を介して折曲板５４、５５が延設され、折線Ｌ５３、Ｌ５４のそれぞれ略中央部にはそれぞれ折曲板５４、５５方向に膨出する係止用切込５６、５７が穿設された係止部とから構成されている。本実施形態において、係止用切込５６、５７はそれぞれの中央部に底板５１方向に突出する係止突起５８、５９を備えた略弓の字状に形成されている。尚、それぞれの係止突起５８、５９の中央には短い切込部６０、６１が刻設されている。
【００２５】
図６は第三実施形態の組立状態を示す説明用斜視図で、予め貼着板５３と底板５１の一側端とを糊着して形成された偏平な筒状の枠体Ｐ３’の底板５１の外面にフランジ付き容器Ｑのフランジ部Ｒを当接し、底板５１の両端に延設された折曲板５４、５５をそれぞれフランジ付き容器Ｑの胴部方向へ折り曲げ、フランジ部Ｒを折曲板５４、５５の係止用切込５６、５７にそれぞれ挿入するとともに、フランジ部Ｒの裏面にそれぞれ係止突起５８、５９の端部が当接係止することにより、底板５１の外面にフランジ付き容器Ｑが係合固定される。尚、底板５１と天板５２とで形成された偏平な筒状の枠体Ｐ３’には、取扱説明書等を収納することができる。
【００２６】
図７は本発明に係る包装用枠体の第四実施形態で、ブランクＰ４は、折線Ｌ７１、Ｌ７２を介して連設される貼着板７３、底板７１、天板７２からなる枠部と、底板７１の上下両端にそれぞれ折線Ｌ７３、Ｌ７４を介して折曲板７４、７５が延設され、折線Ｌ７３、Ｌ７４のそれぞれ略中央部にはそれぞれ折曲板７４、７５方向に膨出する係止用切込７６、７７が穿設されるとともに、天板７２の上下両端にそれぞれ折線Ｌ７５、Ｌ７６を介して折曲板７６、７７が延設され、折線Ｌ７５、Ｌ７６のそれぞれ略中央部にはそれぞれ折曲板７６、７７方向に膨出する係止用切込８０、８１が穿設された係止部とから構成されている。また、係止用切込７８、７９および８０、８１はそれぞれの中央部に底板７１および天板７２方向に突出する係止突起８２、８３および８４、８５を備えた略弓の字状に形成されている。尚、それぞれの係止突起８２、８３および８４、８５の中央には短い切込部８６、８７および８８、８９が刻設されている。
【００２７】
図８は第四実施形態の組立状態を示す説明用斜視図で、予め貼着板７３と底板７１の一側端とを糊着して形成された偏平な筒状の枠体Ｐ４’の底板７１の外面にフランジ付き容器Ｑのフランジ部Ｒを当接し、底板７１の両端に延設された折曲板７４、７５をそれぞれフランジ付き容器Ｑの胴部方向へ折り曲げ、フランジ部Ｒを折曲板７４、７５の係止用切込７８、７９にそれぞれ挿入するとともに、フランジ部Ｒの裏面にそれぞれ係止突起８２、８３の端部が当接係止することにより、底板７１の外面にフランジ付き容器Ｑが係合固定され、同じく、天板７２の外面にフランジ付き容器Ｑのフランジ部Ｒを当接し、天板７２の両端に延設された折曲板７６、７７をそれぞれフランジ付き容器Ｑの胴部方向へ折り曲げ、フランジ部Ｒを折曲板７６、７７の係止用切込８０、８１にそれぞれ挿入するとともに、フランジ部Ｒの裏面にそれぞれ係止突起８４、８５の端部が当接係止することにより、天板７２の外面にフランジ付き容器Ｑが係合固定される。尚、底板７１と天板７２とで形成された偏平な筒状の枠体Ｐ４’には、取扱説明書等を収納することができる。
【００２８】
図９は本発明に係る包装用枠体の第五実施形態で、ブランクＰ５は、折線Ｌ９１、Ｌ９２、Ｌ９３、Ｌ９４を介して連設される貼着板９５、底板９１、側板９２、天板９３、側板９４からなる枠部と、底板９１の両端にそれぞれ折線Ｌ９５、Ｌ９６を介して折曲板９６、９７が延設され、折線Ｌ９５、Ｌ９６のそれぞれ略中央部にはそれぞれ折曲板９６、９７方向に膨出する係止用切込９８、９９が穿設された係止部と、天板９３の両端延長上にそれぞれ折線Ｌ９７、Ｌ９８およびＬ９９、Ｌ１００を介してそれぞれ蓋板１０４、差込板１０５、および蓋板１０６、差込板１０７を連設した蓋部とから構成されている。また、係止用切込９８、９９はそれぞれの中央部に底板９１方向に突出する係止突起１００、１０１を備えた略弓の字状に形成されている。尚、それぞれの係止突起１００、１０１の中央には短い切込部１０２、１０３が刻設されている。
【００２９】
図１０は第五実施形態の組み立て状態を示す説明用斜視図で、予め貼着板９５と側板９４の一側端とを糊着して形成された偏平な筒状の枠体を、折線Ｌ９１、Ｌ９２、Ｌ９３、Ｌ９４を用いて底板９１、側板９２、天板９３、側板９４を起立させて四角筒状の枠体Ｐ５’に形成した中に所定の収納物Ｓを収納した後、折線Ｌ９７、Ｌ９８およびＬ９９、Ｌ１００を用いて、耳片１０８、１０９および１１０、１１１を折り込んだ後、差込板１０５および１０７をそれぞれ枠体内に差し込み、蓋板１０４および１０６で枠体両端部を閉鎖する。次に、底板９１の外面にフランジ付き容器Ｑのフランジ部Ｒを当接し、底板９１の両端に延設された折曲板９６、９７をそれぞれフランジ付き容器Ｑの胴部方向へ折り曲げ、フランジ部Ｒを折曲板９６、９７の係止用切込９８、９９にそれぞれ挿入するとともに、フランジ部Ｒの裏面にそれぞれ係止突起１００、１０１の端部を当接係止することにより、底板９１の外面にフランジ付き容器Ｑが係合固定される。上記のように、フランジ付き容器を底板の外面に取り付けた枠体の開放端を閉じることができるので、収納した付属物等の不用意な脱落を防止することができる。
【００３０】
図１１は本発明に係る包装用枠体の第六実施形態で、図４（ｂ）に示した第二実施形態の他の固定状態における、天地方向二段に積み上げるフランジ付き容器をそれぞれ複数個の並列状態とするもので、ブランクＰ６は、折線Ｌ２０１、Ｌ２０２、Ｌ２０３、Ｌ２０４を介して連設される貼着板２０５、底板２０１、側板２０２、天板２０３、側板２０４からなる枠部と、底板２０１の上下両端にはそれぞれ折線Ｌ２０５、Ｌ２０６を介して折曲板２０６、２０７が延設され、天板２０３の上下両端にはそれぞれ折線Ｌ２０７、Ｌ２０８を介して折曲板２０８、２０９が延設され、折線Ｌ２０５、Ｌ２０６および、Ｌ２０７、Ｌ２０８にはそれぞれ係止される２個のフランジ付き容器Ｑのフランジ部Ｒが当接する位置に、それぞれ折曲板２０６、２０７および２０８、２０９の方向に膨出する係止用切込２１０ａ、２１０ｂ、２１１ａ、２１１ｂおよび２１２ａ、２１２ｂ、２１３ａ、２１３ｂが穿設された係止部とから構成されている。なお、係止用切込２１０ａ、２１０ｂ、２１１ａ、２１１ｂおよび２１２ａ、２１２ｂ、２１３ａ、２１３ｂはそれぞれの中央部に底板２０１および天板２０３方向に突出する係止突起２１４ａ、２１４ｂ、２１５ａ、２１５ｂおよび２１６ａ、２１６ｂ、２１７ａ、２１７ｂを備えた略弓の字状に形成されている。尚、それぞれの係止突起２１４ａ、２１４ｂ、２１５ａ、２１５ｂおよび２１６ａ、２１６ｂ、２１７ａ、２１７ｂの中央には短い切込部２１８ａ、２１８ｂ、２１９ａ、２１９ｂおよび２２０ａ、２２０ｂ、２２１ａ、２２１ｂが刻設されている。
【００３１】
図１２は第六実施形態の組立状態を示す説明用斜視図で、予め貼着板２０５と側板２０４の一側端とを糊着して形成された偏平な筒状の枠体を、折線Ｌ２０１、Ｌ２０２、Ｌ２０３、Ｌ２０４を用いて底板２０１、側板２０２、天板２０３、側板２０４を起立させて四角筒状の枠体Ｐ６’を形成し、次に順序は問わないが、底板２０１の外面に２個のフランジ付き容器Ｑのフランジ部Ｒを当接し、底板２０１の両端に延設された折曲板２０６、２０７をそれぞれフランジ付き容器Ｑの胴部方向へ折り曲げ、フランジ部Ｒを折曲板２０６、２０７の係止用切込２１０ａ、２１０ｂ、２１１ａ、２１１ｂにそれぞれ挿入するとともに、フランジ部Ｒの裏面にそれぞれ係止突起２１４ａ、２１４ｂ、２１５ａ、２１５ｂの端部が当接係止することにより、底板２０１の外面にフランジ付き容器Ｑが係合固定され、次に、四角筒状の枠体Ｐ６’内に２個のフランジ付き容器Ｑを収納するとともに、天板２０３の内面にフランジ部Ｒを当接し、天板２０３の両端に延設された折曲板２０８、２０９をそれぞれフランジ付き容器Ｑの胴部方向へ折り曲げ、フランジ部Ｒを折曲板２０８、２０９の係止用切込２１２ａ、２１２ｂ、２１３ａ、２１３ｂにそれぞれ挿入するとともに、フランジ部Ｒの裏面にそれぞれ係止突起２１６ａ、２１６ｂ、２１７ａ、２１７ｂの端部が当接係止することにより、天板２０３の内面にフランジ付き容器Ｑが係合固定される。このようにして、同じ複数個のフランジ付き容器を二段に重ねた状態で集合包装することが可能である。尚、上記のように第六実施形態では、第二実施形態のようにフランジ付き容器を二段に重ねる状態を示したが、第一実施形態や第三、第四、第五の実施形態においても、それぞれフランジ付き容器を複数個の並列状態とすることが可能である。
【００３２】
本発明に係る枠体は、前述した実施形態の一部を組み合わせた構成からなる包装構造とすることにより、フランジ付き容器を天地方向に連結することができる。図１３（ａ）は本発明に係る包装用枠体の天地方向三段の連結構成を示す説明用斜視図、図１３（ｂ）は図１３（ａ）のｚ−ｚ線説明用端面図であって、それぞれ同一のフランジ付き容器Ｑを天地方向三段に連結した状態を表わしている（上段から順にＱ１、Ｑ２、Ｑ３とし、それぞれのフランジ部をＲ１、Ｒ２、Ｒ３とする）。最上段の枠体Ｘは、図４（ｂ）に示した第二実施形態の他の組み立て固定状態の枠体Ｐ２’と同様で、内部にフランジ付き容器Ｑ１を収納する。中段の枠体Ｙは、図２（ｂ）に示した第一実施形態の他の固定状態の枠体Ｐ１’と同様で、同じく枠体内部にフランジ付き容器Ｑ２を収納するものである。このとき、中段の枠体Ｙ（Ｐ１’）内に収納されたフランジ付き容器Ｑ２のフランジ部Ｒ２は枠体Ｘ（Ｐ２’）の底板２１の開放端側両端縁からそれぞれ膨出しており枠体Ｙ（Ｐ１’）の天板３を挟み込んだ状態で、枠体Ｘ（Ｐ２’）の底板２１の両端に延設された折曲板２６、２７の折り曲げにより、係止用切込３０、３１にそれぞれ挿入されるとともに、係止突起３４、３５の端部がフランジ部Ｒ２の裏面に当接係止される。尚、図１３（ｂ）の端面図の右側に、最上段の枠体Ｘ（Ｐ２’）と中段の枠体Ｙ（Ｐ１’）との連結状態における位置関係を矢印の範囲で示した。本構成は、中段の枠体Ｙ（Ｐ１’）内に収納されたフランジ付き容器Ｑ２を、上段の枠体Ｘ（Ｐ２’）の底板から延設される折曲板の折り曲げにより形成される係止用切込で係止することによって、上段の枠体Ｘ（Ｐ２’）と中段の枠体Ｙ（Ｐ１’）が連結保持され、最下段のフランジ付き容器Ｑ３は中段の枠体Ｙ（Ｐ１’）の折曲板６、７の折曲により、係止用切込８、９にそれぞれ挿入されるとともに、係止突起１０、１１の端部がフランジ部Ｒ３の裏面に当接係止することによって係止保持されることにより、フランジ付き容器を天地方向に三段連結することができる。
【００３３】
前述した包装構造の中段に配置された枠体Ｙ（Ｐ１’）の下段に、さらに別の枠体Ｙ（Ｐ１’）を組み合わせることによりフランジ付き容器の四段以上の連結も可能であり、本実施形態のように、枠体それぞれの側板を意匠的に統一したカットラインとするなどして、枠体Ｐおよび容器Ｑを天地方向に連結させれば、販売時点において興趣ある展示を行うことができる。さらに、天地方向の各段に用いる枠体を、前述した第六実施形態のようにフランジ付き容器が複数個並列する枠体とすることにより、フランジ付き容器が二列三段等に連結した状態とすることもできるので、集合させて販売する数量を選択的に決めることが可能である。尚、図示は省略するが、上記した集合包装状態をさらに安定的なものとすべく、熱収縮フィルムによるシュリンク包装を施してもよい。
【符号の説明】
【００３４】
Ｐ１                  ブランク
Ｐ１’                枠体
１                      底板
２                      側板
３                      天板
４                      側板
５                      貼着板
６、７                  折曲板
８、９                  係止用切込
１０、１１                係止突起
１２、１３                切込部
Ｌ１〜Ｌ６                折線
Ｐ２                  ブランク
Ｐ２’                枠体
２１                      底板
２２                      側板
２３                      天板
２４                      側板
２５                      貼着板
２６〜２９                折曲板
３０〜３３                係止用切込
３４〜３７                係止突起
３８〜４１                切込部
Ｌ２１〜Ｌ２８              折線
Ｐ３                  ブランク
Ｐ３’                枠体
５１                      底板
５２                      天板
５３                      貼着板
５４、５５                折曲板
５６、５７                係止用切込
５８、５９                係止突起
６０、６１                切込部
Ｌ５１〜Ｌ５４              折線
Ｐ４                  ブランク
Ｐ４’                枠体
７１                      底板
７２                      天板
７３                      貼着板
７４〜７７                折曲板
７８〜８１                係止用切込
８２〜８５                係止突起
８６〜８９                切込部
Ｌ７１〜Ｌ７６              折線
Ｐ５                  ブランク
Ｐ５’                枠体
９１                      底板
９２                      側板
９３                      天板
９４                      側板
９５                      貼着板
９６、９７                折曲板
９８、９９                係止用切込
１００、１０１              係止突起
１０２、１０３              切込部
１０４、１０６              蓋板
１０５、１０７              差込板
１０８〜１１１              耳片
Ｌ９１〜Ｌ１００            折線
Ｐ６                  ブランク
Ｐ６’                枠体
２０１                      底板
２０２                      側板
２０３                      天板
２０４                      側板
２０５                      貼着板
２０６〜２０９              折曲板
２１０ａ〜２１３ｂ          係止用切込
２１４ａ〜２１７ｂ          係止突起
２１８ａ〜２２１ｂ          切込部
Ｌ２０１〜Ｌ２０８            折線
Ｑ（Ｑ１〜Ｑ３）    容器
Ｒ（Ｒ１〜Ｒ３）    容器フランジ
Ｘ                  枠体Ｐ２’
Ｙ                  枠体Ｐ１’
【図１】
2011126573.tif 000003
【図２】
2011126573.tif 000004
【図３】
2011126573.tif 000005
【図４】
2011126573.tif 000006
【図５】
2011126573.tif 000007
【図６】
2011126573.tif 000008
【図７】
2011126573.tif 000009
【図８】
2011126573.tif 000010
【図９】
2011126573.tif 000011
【図１０】
2011126573.tif 000012
【図１１】
2011126573.tif 000013
【図１２】
2011126573.tif 000014
【図１３】
2011126573.tif 000015